(57)【特許請求の範囲】
【請求項１】
弾性圧搾可能な胴部１上端部から口頸部２を起立する容器体Ａと、
上記容器体口頸部２上面へ載置した第１鍔状頂壁３外周から第１嵌合筒４を、又内周から計量筒５を、それぞれ垂設して、第１嵌合筒４を容器体口頸部２外面へ、又計量筒５を内面へ、それぞれ嵌合させ、該計量筒下端に付設した鍔状底壁６内周から上面閉塞の注出筒７を起立して、該注出筒の上部外面に注出孔９を穿設し、又計量筒５筒壁下部に流入孔１０を穿設すると共に、鍔状底壁６外周部上面から短筒１１を起立し、更に第１鍔状頂壁３内周部上面から第２嵌合筒１２を起立した計量部材Ｂと、
上記第２嵌合筒１２上面へ載置した第２鍔状頂壁１５外周から周壁１６を、又内周部下面から開閉筒１７を、上記注出筒７の注出孔９を筒内部に有して、それぞれ垂設して、周壁１６を第２嵌合筒１２外面へ回動可能に螺合させると共に、開閉筒１７を計量筒５内面へ上下動自在に、かつ水密に嵌合させて、その開閉筒下端を上記短筒１１外面へ着脱可能に、かつ水密に嵌合させた開閉部材Ｃと、
上記開閉筒１７上面を開閉自在に閉塞する頂板１９中央部下面から垂下筒２０を垂設して、該垂下筒下部を上記注出筒７上端部外周面へ水密に、かつ着脱可能に嵌合させたキャップ部材Ｄとを有し、
上記開閉筒１７は上記短筒１１外面への嵌合により流入孔１０を閉塞する計量注出位置と、短筒１１からの上方への離脱により流入孔１０を開放して容器体Ａ内と計量筒５内とを連通させる非計量注出位置とを有する、
ことを特徴とする計量容器。
【請求項２】
上記キャップ部材Ｄの頂板を、上記第１嵌合筒４上端から起立する起立板２２上端にヒンジを介して連結した、
ことを特徴とする請求項１記載の計量容器。
【発明の詳細な説明】
【０００１】
【発明の属する技術分野】
本発明は容器体内の液体等を計量注出する計量容器に関する。
【０００２】
【従来の技術】
例えば実開平４−１００５３号が示すように、弾性圧搾可能な胴部を有し、かつ口頸部を起立する容器体と、口頸部の上端開口を第１頂壁で閉塞して第１頂壁外周から垂下する第１周壁を口頸部外面へ嵌合させ、かつ頂壁中央に穿設した透孔周縁から第１筒部を起立すると共に、透孔と連通して容器体内底部へパイプを垂下するキャップ状部材と、第１頂壁の外周部へ水密かつ回動可能に第２周壁下端部を嵌合させ、第２周壁上端面を閉塞する第２頂壁下面から第１筒部外面へ嵌合する第２筒部を垂下すると共に、第２頂壁一部を開口して該開口を開閉する蓋板を第２周壁上端部へヒンジを介して連結した計量筒とからなり、第１筒部と第２筒部とにそれぞれ第１、第２縦割溝を、キャップ状部材に対する計量筒の回動により、両縦割溝ないし第２縦割溝を介して第１筒部内と計量筒内とが異なる高さの位置で連通可能に穿設した計量液体注出器が知られている。
【０００３】
【発明が解決しようとする課題】
上記のような計量液体注出容器は、容器体を正立させて胴部を一度圧搾するだけで計量可能であり、迅速かつ容易に定量注出できる点で便利である。
しかし、容器体内液体を多量に使用する場合等には計量することなく、通常の容器から液体を注出する場合のように、容器体を傾倒させて連続注出することも必要な場合がある。
【０００４】
そこで、請求項１記載の計量容器は、計量用の連通孔とは別に、容器体内液体を計量筒内へ流入させることが可能な流入孔を形成すると共に、この流入孔を開閉可能な開閉筒を設けることにより、計量注出のみならず連続注出をも可能にしようとするものである。
【０００５】
請求項２記載の計量容器は、上記請求項１記載の計量容器が有する解決課題を有するほか、キャップ部材をヒンジを介して計量部材へ連結させることにより、これらを一体成形可能にして部品点数削減を図ろうとするものである。
【０００６】
【課題を解決するための手段】
第１の手段として、弾性圧搾可能な胴部１上端部から口頸部２を起立する容器体Ａと、
上記容器体口頸部２上面へ載置した第１鍔状頂壁３外周から第１嵌合筒４を、又内周から計量筒５を、それぞれ垂設して、第１嵌合筒４を容器体口頸部２外面へ、又計量筒５を内面へ、それぞれ嵌合させ、該計量筒下端に付設した鍔状底壁６内周から上面閉塞の注出筒７を起立して、該注出筒の上部外面に注出孔９を穿設し、又計量筒５筒壁下部に流入孔１０を穿設すると共に、鍔状底壁６外周部上面から短筒１１を起立し、更に第１鍔状頂壁３内周部上面から第２嵌合筒１２を起立した計量部材Ｂと、
上記第２嵌合筒１２上面へ載置した第２鍔状頂壁１５外周から周壁１６を、又内周部下面から開閉筒１７を、上記注出筒７の注出孔９を筒内部に有して、それぞれ垂設して、周壁１６を第２嵌合筒１２外面へ回動可能に螺合させると共に、開閉筒１７を計量筒５内面へ上下動自在に、かつ水密に嵌合させて、その開閉筒下端を上記短筒１１外面へ着脱可能に、かつ水密に嵌合させた開閉部材Ｃと、
上記開閉筒１７上面を開閉自在に閉塞する頂板１９中央部下面から垂下筒２０を垂設して、該垂下筒下部を上記注出筒７上端部外周面へ水密に、かつ着脱可能に嵌合させたキャップ部材Ｄとを有し、
上記開閉筒１７は上記短筒１１外面への嵌合により流入孔１０を閉塞する計量注出位置と、短筒１１からの上方への離脱により流入孔１０を開放して容器体Ａ内と計量筒５内とを連通させる非計量注出位置とを有する。
【０００７】
第２の手段として、上記第１の手段を有すると共に、上記キャップ部材Ｄの頂板を、上記第１嵌合筒４上端から起立する起立板２２上端にヒンジを介して連結した。
【０００８】
【発明の実施の形態】
以下、本発明に係る計量容器を図面に示す実施形態を参照しながら説明する。
本発明は、容器体、計量部材、開閉部材及びキャップ部材を主要部材とする。
Ａは容器体で、弾性圧搾可能な胴部１上端部から肩部を介して口頸部２を起立し、該口頸部外面に雄ねじを形成する。
【０００９】
Ｂは計量部材で、容器体口頸部２上面へ載置した第１鍔状頂壁３外周から第１嵌合筒４を、又内周から計量筒５を、それぞれ垂設する。そして第１嵌合筒４はその内面に形成した雌ねじを容器体口頸部２の雄ねじへ螺合させる。
一方、計量筒５は口頸部２内面へ嵌合させ、かつその計量筒５下端に付設した鍔状底壁６内周から注出筒７を起立して、該注出筒の上面を円弧状頂壁８で閉塞すると共に、該頂壁外周に近接する注出筒７部分に注出孔９を穿設する。
【００１０】
また計量筒５筒壁下部に流入孔１０を穿設すると共に、鍔状底壁６外周部上面から短筒１１を起立する。
さらに第１鍔状頂壁３内周部上面から第２嵌合筒１２を起立して、該第２嵌合筒外面に雄ねじ１３を形成する。
【００１１】
Ｃは開閉部材で、第２嵌合筒１２上面へ載置した第２鍔状頂壁１５外周から周壁１６を、また内周部下面から開閉筒１７を、それぞれ垂設して、周壁１６内面に形成した雌ねじ１６ａを第２嵌合筒１２の雄ねじ１３へ回動可能に螺合させると共に、開閉筒１７を計量筒５内面へ上下動自在に、かつ水密に嵌合させて、その開閉筒下端を短筒１１外面へ着脱可能に、かつ水密に嵌合させる。
【００１２】
この場合、注出筒７の注出孔９は開閉筒１７内部に位置するが、一回毎の計量注出量をより多くするためには、図示例のように注出孔９を開閉筒１７上面付近に位置させる。
１８は第２鍔状頂壁１５内周から起立した栓受筒である。
【００１３】
Ｄはキャップ部材で、開閉筒１７上面を開閉自在に閉塞する頂板１９中央部下面から垂下筒２０と、該垂下筒を囲成する栓筒２１とを、それぞれ垂設して、垂下筒２０下部を注出筒７上端部外周面へ水密に、かつ着脱可能に嵌合させると共に、栓筒２１を栓受筒１８内面へ着脱自在に嵌合させ、さらに頂壁１９外周から垂下する筒壁を周壁１６外周面へ着脱自在に嵌合させる。
【００１４】
なお、請求項２記載のように、頂板１９外周を、第１嵌合筒４上端から起立する起立板２２上端へ肉薄ヒンジ２３を介して連結すると共に、頂板１９中央部から肉薄ヒンジを介して延出する弾性帯２４下端を、起立板２２より下方第１嵌合筒４部分外面へ肉薄ヒンジを介して連結するのが好ましい。
２５は注出筒７下部内面へ嵌合させたパイプである。
【００１５】
次に本実施形態の作用について説明する。
図１はキャップ部材Ｄの閉栓状態を示し、この状態では垂下筒２０が注出筒７へ嵌合して、注出孔９が垂下筒２０内部に位置するため、胴部１を圧搾しようとしても垂下筒２０内の空気圧が上昇するため、胴部圧搾は不可能である。
この状態から計量注出するには、図２に示すように、キャップ部材Ｄを周壁１６から離脱させた後、胴部１を圧搾すればよく、すると容器体内液体がパイプ２５内を上昇して、注出筒７の注出孔９から開閉筒１７内へ流出する。
この際、注出筒７上面は頂壁８で閉塞されているため、注出筒７から上方へ直線状に噴出することがない。すなわち、この頂壁８は液流制御板の役割を果たす。
【００１６】
胴部１圧搾により液面が開閉筒１７上面付近に達したところで、圧搾力をゆるめると、胴部１が弾性力により元の形状に戻るため、容器体内に吸引力が生じ、これによって注出孔９下縁より上方の液体は注出孔９から注出筒７内へ吸引されるため、一回の胴部圧搾により常に一定量の液体を開閉筒１７内に貯留させることができる。
容器体から液体を注出するには、図２に示す状態から容器体Ａを倒立させればよい。
【００１７】
計量することなく液体を連続注出するには、図３に示すように、開閉筒１７を回動により上昇させて流入孔１０を開放させた後、図４に示すように、容器体Ａを倒立させて胴部１を圧搾すればよく、すると液体が流入孔１０と注出孔９との両孔から開閉筒１７内へ流入して開閉筒１７上面開口から注出する。
【００１８】
【発明の効果】
請求項１記載の計量容器は、圧搾可能な胴部を有する口頸部に計量筒を設けて、その鍔状底壁から注出筒を起立したので、計量注出が可能にある。
また、計量筒下部に流入孔を形成すると共に、該流入孔を開閉可能な開閉筒を設けたので、計量が不要な場合における連続注出が可能になる。
【００１９】
請求項２記載の計量容器は、キャップ部材を計量部材にヒンジを介して連結したので、これらの一体成形が可能になり、これによって部品点数の削減が可能になる。
【図面の簡単な説明】
【図１】本発明に係る計量容器を示すもので、計量注出前の状態を示す断面図。
【図２】同じく、計量後の状態を示す断面図。
【図３】同じく、連続注出前の状態を示す断面図。
【図４】同じく、連続注出時の状態を示す断面図。
【図５】同じく、斜視図。
【符号の説明】
１  胴部
２  口頸部
３  第１鍔状頂壁
４  第１嵌合筒
５  計量筒
６  鍔状底壁
７  注出筒
８  頂壁
９  注出孔
１０  流入孔
１１  短筒
１２  第２嵌合筒
１３  雄ねじ
１５  第２鍔状頂壁
１６  周壁
１６ａ  雌ねじ
１７  開閉筒
１９  頂板
２０  垂下筒
２２  起立板
Ａ  容器体
Ｂ  計量部材
Ｃ  開閉部材
Ｄ  キャップ部材
【図１】
0003784540.tif 000002
【図２】
0003784540.tif 000003
【図３】
0003784540.tif 000004
【図４】
0003784540.tif 000005
【図５】
0003784540.tif 000006